【手続補正書】
【提出日】平成19年8月17日(2007.8.17)
【手続補正１】
【補正対象書類名】特許請求の範囲
【補正対象項目名】全文
【補正方法】変更
【補正の内容】
【特許請求の範囲】
【請求項１】
（ａ）ポリエステル、及び
（ｂ）以下の式：
【化１】
2007505186.tif 000001
（式中、Ｘ1及びＹ1は、それぞれ電子吸引性基を示し、独立して、アリール、カルバモイル、シアノ、ヘテロアリール、ニトロ、スルファモイル、Ｒ1−ＣＯ−、Ｒ1Ｏ−ＣＯ−、Ｒ1ＮＨＣＯ−、(Ｒ1)2Ｎ−ＣＯ−、ＨＯ−Ｌ2−ＮＨＣＯ−、(ＨＯ−Ｌ2)2Ｎ−ＣＯ−、Ｒ1−Ｏ2Ｓ−、Ｒ1−ＮＨＯ2Ｓ−、及び(Ｒ1)2ＮＯ2Ｓ−から選ばれ、ここで、Ｒ1は、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、Ｃ3〜Ｃ8−アルケニル、Ｃ3〜Ｃ8−アルキニル、アリール、ヘテロアリールから選ばれ、式中、Ｌ2は、Ｃ1〜Ｃ22−アルキレン、Ｃ3〜Ｃ8−シクロアルキレン、Ｃ1〜Ｃ6−アルキレン−シクロへキシレン−Ｃ1〜Ｃ6−アルキレン、Ｃ2〜Ｃ4−アルキレン−Ｏ−アリーレン−Ｏ−Ｃ2〜Ｃ4−アルキレン、アリーレン及び−(ＣＨ2ＣＨ2−Ｌ3)1-3−ＣＨ2ＣＨ2−から選ばれる二価の結合基であり、式中、Ｌ3は、−Ｏ−、−Ｓ−、−ＳＯ2−、及び−Ｎ(Ｒ1)−から選ばれ、
式中、Ｙ2は、−Ｏ−、−ＮＨ−及び−(Ｒ1)−から選ばれ、
式中、Ｘ2及びＹ3は、独立して、シアノ、Ｃ1〜Ｃ6−アルキルスルホニル、アリールスルホニル及びＣ1〜Ｃ6−アルコキシカルボニルから選ばれ、
式中、Ｒ2は、アリール及びヘテロアリールから選ばれ、そして、
Ｘ1及びＹ1の両者がＲ1−ＣＯ−又はＲ1Ｏ−ＣＯ−から選ばれるときは、Ｒ1は、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、アリール、ヘテロアリールから選ばれ、また、Ｙ2が−Ｏ−であるときは、Ｘ1はＲ1−ＣＯ−である。）
によって表される非環式活性メチレン化合物から選ばれる、アセトアルデヒドと反応して新たな炭素−炭素結合を形成させることができる少なくとも一種の添加剤；及び
（ｃ）ヒンダードアミン光安定剤（ＨＡＬＳ）、アミノ酸、モノ−及びポリ−カルボン酸のアルカリ金属塩、第三アミン、第二アミン及び置換ピペリジン、及びそれらの酸付加塩からなる群より選ばれる酸性メチレンとアルデヒドとの反応を触媒することが知られた一種の化合物
を含むポリエステル組成物。
【請求項２】
（ａ）ポリエステル、及び
（ｂ）以下の式：
【化２】
2007505186.tif 000002
（式中、Ｒ3は、Ｃ1〜Ｃ6−アルコキシカルボニル、シアノ、ヘテロアリールから選ばれ、
式中、Ｒ4は、アリール及びヘテロアリールから選ばれ、
式中、Ｒ5は、水素、Ｃ1〜Ｃ6−アルキル、置換Ｃ1〜Ｃ6−アルキル、Ｃ3〜Ｃ8−シクロアルキル及びアリールから選ばれ、
式中、Ｒ6は、水素、Ｃ1〜Ｃ6−アルキル、Ｃ1〜Ｃ6−アルコキシ、ハロゲン、シアノ、Ｃ1〜Ｃ6−アルコキシカルボニル、トリフルオロメチル、ヒドロキシ、Ｃ1〜Ｃ6−アルカノイルオキシ、アロイル、Ｃ1〜Ｃ6−アルキルチオ、Ｃ1〜Ｃ6−アルキルスルホニル、カルバモイル、スルファモイル、−ＮＨＣＯＲ9、−ＮＨ−ＳＯ2Ｒ9、−ＣＯＮＨＲ9、−ＣＯＮ(Ｒ9)2、−ＳＯ2ＮＨＲ9及び−ＳＯ2Ｎ(Ｒ9)2から選ばれ、ここで、Ｒ9は、Ｃ1〜Ｃ6−アルキル、置換Ｃ1〜Ｃ6−アルキル、Ｃ3〜Ｃ8−シクロアルキル及びアリールから選ばれ、
式中、Ｒ7は、水素、Ｃ1〜Ｃ6−アルキル、及びアリールから選ばれ、
式中、Ｘ2及びＹ3は、独立して、シアノ、Ｃ1〜Ｃ6−アルキルスルホニル、アリールスルホニル及びＣ1〜Ｃ6−アルコキシカルボニルから選ばれ、
式中、Ｒ8は、水素、Ｃ1〜Ｃ6−アルキル、置換Ｃ1〜Ｃ6−アルキル、Ｃ3〜Ｃ8−シクロアルキル、Ｃ3〜Ｃ8−アルケニル、Ｃ3〜Ｃ8−アルキニル及びアリールから選ばれ、そして、
式中、Ｌ4は、−Ｏ−、−Ｓ−及び−Ｎ(Ｒ10)から選ばれ、ここで、Ｒ10は、水素、Ｃ1〜Ｃ6−アルキル、Ｃ3〜Ｃ8−シクロアルキル及びアリールから選ばれる。）
によって表される環式活性メチレン化合物から選ばれる、アセトアルデヒドと反応して炭素−炭素結合を形成させることができる少なくとも一種の添加剤
を含むポリエステル組成物。
【請求項３】
１〜９９重量％の消費後のリサイクル材料を更に含む、請求項１又は２に記載のポリエステル組成物。
【請求項４】
ポリエステル中に、０．０１〜１０重量％の少なくとも一種の着色剤及び／又は紫外線吸収化合物を更に含む、請求項１又は２に記載のポリエステル組成物。
【請求項５】
カーボンブラック、黒色酸化鉄、還元アンチモン金属触媒残留物、金属フタロシアニン、金属ナフタロシアニン、及びスクワレンから選ばれる赤外吸収化合物を更に含む、請求項１又は２に記載のポリエステル組成物。
【請求項６】
滑剤、無機鉱物複合材料、及びタルクから選ばれる非粘着性の添加剤を更に含む、請求項１又は２に記載のポリエステル組成物。
【請求項７】
前記添加剤が、以下の式：
【化３】
2007505186.tif 000003
の化合物である、請求項１又は２に記載のポリエステル組成物。
【請求項８】
請求項１又は２に記載のポリエステル組成物からなる造形品又は成形品。
【請求項９】
ポリエステル組成物に、以下の式：
【化４】
2007505186.tif 000004
（式中、Ｘ1及びＹ1は、それぞれ電子吸引性基を示し、独立して、アリール、カルバモイル、シアノ、ヘテロアリール、ニトロ、スルファモイル、Ｒ1−ＣＯ−、Ｒ1Ｏ−ＣＯ−、Ｒ1ＮＨＣＯ−、(Ｒ1)2Ｎ−ＣＯ−、ＨＯ−Ｌ2−ＮＨＣＯ−、(ＨＯ−Ｌ2)2Ｎ−ＣＯ−、Ｒ1−Ｏ2Ｓ−、Ｒ1−ＮＨＯ2Ｓ−、及び(Ｒ1)2ＮＯ2Ｓ−から選ばれ、ここで、Ｒ1は、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、Ｃ3〜Ｃ8−アルケニル、Ｃ3〜Ｃ8−アルキニル、アリール、ヘテロアリールから選ばれ、式中、Ｌ2は、Ｃ1〜Ｃ22−アルキレン、Ｃ3〜Ｃ8−シクロアルキレン、Ｃ1〜Ｃ6−アルキレン−シクロへキシレン−Ｃ1〜Ｃ6−アルキレン、Ｃ2〜Ｃ4−アルキレン−Ｏ−アリーレン−Ｏ−Ｃ2〜Ｃ4−アルキレン、アリーレン及び−(ＣＨ2ＣＨ2−Ｌ3)1‐3−ＣＨ2ＣＨ2−から選ばれる二価の結合基であり、式中、Ｌ3は、−Ｏ−、−Ｓ−、−ＳＯ2−、及び−Ｎ(Ｒ1)−から選ばれ、
式中、Ｙ2は、−Ｏ−、−ＮＨ−及び−(Ｒ1)−から選ばれ、
式中、Ｘ2及びＹ3は、独立して、シアノ、Ｃ1〜Ｃ6−アルキルスルホニル、アリールスルホニル及びＣ1〜Ｃ6−アルコキシカルボニルから選ばれ、
式中、Ｒ2は、アリール及びヘテロアリールから選ばれ、そして、
Ｘ1及びＹ1の両者がＲ1−ＣＯ−又はＲ1Ｏ−ＣＯ−から選ばれるときは、Ｒ1は、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、アリール、ヘテロアリールから選ばれ、また、Ｙ2が−Ｏ−であるときは、Ｘ1はＲ1−ＣＯ−である。）
によって表される非環式活性メチレン化合物から選ばれる、アセトアルデヒドと反応して新たな炭素−炭素結合を生成させることができる少なくとも一種の添加剤、及び
ヒンダードアミン光安定剤（ＨＡＬＳ）、アミノ酸、モノ−及びポリ−カルボン酸のアルカリ金属塩、第三アミン、第二アミン及び置換ピペリジン、及びそれらの酸付加塩からなる群より選ばれる酸性メチレンとアルデヒドとの反応を触媒することが知られた一種の化合物、
を溶融混合することを含む、ポリエステル組成物中のアセトアルデヒド量を減少させる方法。
【請求項１０】
ポリエステル組成物に、以下の式：
【化５】
2007505186.tif 000005
（式中、Ｒ3は、Ｃ1〜Ｃ6−アルコキシカルボニル、シアノ、ヘテロアリールから選ばれ、
式中、Ｒ4は、アリール及びヘテロアリールから選ばれ、
式中、Ｒ5は、水素、Ｃ1〜Ｃ6−アルキル、置換Ｃ1〜Ｃ6−アルキル、Ｃ3〜Ｃ8−シクロアルキル及びアリールから選ばれ、
式中、Ｒ6は、水素、Ｃ1〜Ｃ6−アルキル、Ｃ1〜Ｃ6−アルコキシ、ハロゲン、シアノ、Ｃ1〜Ｃ6−アルコキシカルボニル、トリフルオロメチル、ヒドロキシ、Ｃ1〜Ｃ6−アルカノイルオキシ、アロイル、Ｃ1〜Ｃ6−アルキルチオ、Ｃ1〜Ｃ6−アルキルスルホニル、カルバモイル、スルファモイル、−ＮＨＣＯＲ9、−ＮＨ−ＳＯ2Ｒ9、−ＣＯＮＨＲ9、−ＣＯＮ(Ｒ9)2、−ＳＯ2ＮＨＲ9及び−ＳＯ2Ｎ(Ｒ9)2から選ばれ、ここで、Ｒ9は、Ｃ1〜Ｃ6−アルキル、置換Ｃ1〜Ｃ6−アルキル、Ｃ3〜Ｃ8−シクロアルキル及びアリールから選ばれ、
式中、Ｒ7は、水素、Ｃ1〜Ｃ6−アルキル、及びアリールから選ばれ、
式中、Ｘ2及びＹ3は、独立して、シアノ、Ｃ1〜Ｃ6−アルキルスルホニル、アリールスルホニル及びＣ1〜Ｃ6−アルコキシカルボニルから選ばれ、
式中、Ｒ8は、水素、Ｃ1〜Ｃ6−アルキル、置換Ｃ1〜Ｃ6−アルキル、Ｃ3〜Ｃ8−シクロアルキル、Ｃ3〜Ｃ8−アルケニル、Ｃ3〜Ｃ8−アルキニル及びアリールから選ばれ、そして、
式中、Ｌ4は、−Ｏ−、−Ｓ−及び−Ｎ(Ｒ10)から選ばれ、ここで、Ｒ10は、水素、Ｃ1〜Ｃ6−アルキル、Ｃ3〜Ｃ8−シクロアルキル及びアリールから選ばれる。）
によって表される環式活性メチレン化合物から選ばれる、アセトアルデヒドと反応して新たな炭素−炭素結合を生成させることができる少なくとも一種の添加剤
を溶融混合することを含む、ポリエステル中のアセトアルデヒド量を減少させる方法。
【請求項１１】
前記添加剤が、以下の式：
【化６】
2007505186.tif 000006
の化合物である、請求項１０に記載の方法。